(57)【要約】【課題】編集作業の迅速化を図ることができる画像編集プログラム及び画像編集装置を提供する。【解決手段】再生中の動画像からユーザにより選択された再生位置の前後所定期間に含まれるＩピクチャを表示するＩピクチャ表示工程と、表示した各Ｉピクチャからユーザにより選択されたＩピクチャとその直前または直後のＩピクチャとの間に含まれる各フレームの画像を表示するフレーム表示工程と、表示した各フレームの画像からユーザにより選択されたフレームを削除開始位置または削除終了位置として記憶する記憶工程と、削除開始位置から削除終了位置までのフレームを削除する削除工程とを備えた。【選択図】      図３
2004159082.tif 000002
【特許請求の範囲】
【請求項１】
動画像を再生する動画再生工程と、
再生中の動画像からユーザにより選択された再生位置の前後所定期間に含まれるＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置の直前のフレームの画像及び削除終了位置の直後のフレームの画像をＩピクチャに変換する変換工程と、
削除開始位置から削除終了位置までのフレームを削除する削除工程と、
を備えたことを特徴とする画像編集プログラム。
【請求項２】
動画像のデータからＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置から削除終了位置までのフレームを削除する削除工程と、
を備えたことを特徴とする画像編集プログラム。
【請求項３】
前記Ｉピクチャ表示工程は、ユーザにより選択された再生位置の前後所定期間に含まれるＩピクチャを表示することを特徴とする請求項２に記載の画像編集プログラム。
【請求項４】
動画像を再生する動画再生工程と、
再生中の動画像からユーザにより選択された再生位置の前後所定期間に含まれるＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置の直前のフレームの画像及び削除終了位置の直後のフレームの画像をＩピクチャに変換する変換工程と、
削除開始位置から削除終了位置までのフレームを削除する削除工程と、
を備えたことを特徴とする画像編集装置。
【請求項５】
動画像のデータからＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置から削除終了位置までのフレームを削除する削除工程と、
を備えたことを特徴とする画像編集装置。
【請求項６】
前記Ｉピクチャ表示工程は、ユーザにより選択された再生位置の前後所定期間に含まれるＩピクチャを表示することを特徴とする請求項５に記載の画像編集装置。
【発明の詳細な説明】
【０００１】
【発明の属する技術分野】
本発明は動画像を編集する画像編集プログラム及び画像編集装置に関する。
【０００２】
【従来の技術】
ＤＶＤ、ＨＤＤ、ビデオＣＤ等に記録された動画像は一般にＭＰＥＧ方式により圧縮されている。特許文献１には、ＭＰＥＧ方式の動画像を編集する画像編集装置が開示されている。この画像編集装置は、編集画面に設けられたスライドバーを移動すると、スライドバーの位置に応じた動画像のフレームを復号して表示する。ユーザは表示された画像を視認して所望の再生点を指定することができる。これにより、削除開始点及び削除終了点を指定してこの間のフレームを削除できるようになっている。
【０００３】
【特許文献１】
特開２００２−８４５０３号公報（第８頁〜第９頁、第１３図）
【０００４】
【発明が解決しようとする課題】
ＭＰＥＧ方式の各フレームはＩピクチャ、Ｐピクチャ、Ｂピクチャから成っている。Ｉピクチャは一つのフレームの画像データを圧縮して作成される。Ｐピクチャは直前のフレームの画像データとの差により作成される。Ｂピクチャは直前及び直後のフレームの画像データとの差により作成される。フレームは０．５秒間に通常１５枚設けられており、その間におよそＩピクチャが１枚、Ｐピクチャが４枚、Ｂピクチャが１０枚程度含まれている。
【０００５】
このため、例えばＣＭカットを行う際に多量のフレームの画像の中からＣＭが開始または終了するフレームを見つけるのが容易ではなく、編集作業の時間がかかる問題があった。また、ＰピクチャやＢピクチャを復号する際には前後のフレームの情報を必要とし、前後のフレームがＰピクチャやＢピクチャの場合は更にその前後のフレームの情報を必要とするため復号時間がかかる。このため、復号時間によって編集作業が更に遅延する問題もあった。
【０００６】
本発明は、編集作業の迅速化を図ることができる画像編集プログラム及び画像編集装置を提供することを目的とする。
【０００７】
【課題を解決するための手段】
上記目的を達成するために本発明の画像編集プログラム及び画像編集装置は、動画像を再生する動画再生工程と、
再生中の動画像からユーザにより選択された再生位置の前後所定期間に含まれるＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置の直前のフレームの画像及び削除終了位置の直後のフレームの画像をＩピクチャに変換する変換工程と、
削除開始位置から削除終了位置までのフレームを削除する削除工程と、
を備えたことを特徴としている。
【０００８】
この構成によると、例えばＣＭカットする場合に、再生中の動画像からＣＭの開始位置の近傍の再生位置がユーザにより指定されると、指定した再生位置の近傍の複数のＩピクチャが表示される。表示されたＩピクチャの中からユーザがＣＭの開始位置を指定すると、指定したＩピクチャと、その前またはその後のＩピクチャとの間の各フレームが復号して表示される。表示されたフレームからＣＭの開始位置のフレームを選択すると選択したフレームが削除開始位置としてメモリに記憶される。同様にＣＭの終了位置のフレームが削除終了位置としてメモリに記憶される。削除開始位置の直前のフレームがＢピクチャの場合は削除開始位置のフレームのデータに基づいて直前のフレームが復号され、Ｉピクチャに変換される。削除終了位置の直後のフレームがＰピクチャやＢピクチャの場合は削除終了位置のフレームのデータに基づいて直後のフレームが復号され、Ｉピクチャに変換される。そして、削除開始位置から削除終了位置までのフレームが削除されてＣＭカットが行われる。
【０００９】
また本発明の画像編集プログラム及び画像編集装置は、動画像のデータからＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置から削除終了位置までのフレームを削除する削除工程と、
を備えたことを特徴としている。
【００１０】
この構成によると、動画像のデータからＩピクチャを取り出してサムネールによる一覧表示、自動的に画像を連続して切り替える連続表示、ユーザによって画像を切り替るコマ送り表示等の方法により表示される。表示されたＩピクチャの中からユーザがＣＭの開始位置の近傍を指定すると、指定したＩピクチャと、その前またはその後のＩピクチャとの間の各フレームが復号して表示される。表示されたフレームからＣＭの開始位置のフレームを選択すると選択したフレームが削除開始位置としてメモリに記憶される。同様にＣＭの終了位置のフレームが削除終了位置としてメモリに記憶される。
【００１１】
また本発明は、上記構成の画像編集プログラム及び画像編集装置において、前記Ｉピクチャ表示工程は、ユーザにより選択された再生位置の前後所定期間に含まれるＩピクチャを表示することを特徴としている。この構成によると、動画像の再生やＩピクチャの連続表示の際にＣＭの開始位置の近傍の再生位置がユーザにより指定されると、指定した再生位置近傍の複数のＩピクチャが表示される。
【００１２】
【発明の実施の形態】
以下に本発明の実施形態を図面を参照して説明する。図１は一実施形態の画像編集装置を示すブロック図である。画像編集装置１はＤＶＤレコーダやＨＤＤレコーダ等から成り、画像の記録再生ができるとともに再生した画像を確認しながら編集可能になっている。画像編集装置１は各部を制御するＣＰＵ２を備えている。ＣＰＵ２にはドライブ３、記憶部４、操作部５、デコーダ６及びエンコーダ７が接続されている。
【００１３】
ドライブ３はＤＶＤドライブ、ＨＤＤ、ＣＤドライブ等から成り、ＭＰＥＧ方式の動画像を記録するとともに動画像が記録された光ディスクや磁気記録媒体を再生する。記憶部４はＲＯＭ、ＲＡＭ、磁気記録媒体等から成り、画像編集装置１を動作させる画像編集プログラム等のプログラムや各種設定データを記憶するとともにや演算の一時記憶等を行う。
【００１４】
操作部５は操作スイッチ、キーボード、ポインティングデバイス等から成り、画像編集装置の入力動作を行う。デコーダ６はドライブ３により取り出されるＭＰＥＧ方式の記録信号を復号してビデオ信号に変換し、表示装置９に表示する。チューナ８はアンテナ１０で捉えた電波からビデオ信号を取り出す。エンコーダ７はチューナ８から出力されるビデオ信号を圧縮してＭＰＥＧ方式のデータに変換する。
【００１５】
上記構成の画像編集装置１において、画像編集装置１の電源が入れられると記憶部４に記憶された画像編集プログラムが起動される。画像編集プログラムのメニュー画面（不図示）から例えば「録画」が選択されると、アンテナ１０により受信された信号からチューナ８を介して取り出されたビデオ信号をエンコーダ８により画像圧縮してＭＰＥＧデータに変換する。ＭＰＥＧデータはドライブ３によりＤＶＤ−ＲやＨＤ等に記録される。
【００１６】
画像編集プログラムのメニュー画面（不図示）から例えば「再生」が選択されると、ドライブ３によりＤＶＤやＨＤからＭＰＥＧデータが取り出される。ＭＰＥＧデータは、デコーダ６によってデータ伸張（復号）されるとともにビデオ信号に変換される。これにより、表示装置９に動画像が表示される。
【００１７】
ＣＭカットを行う場合には画像編集プログラムのメニュー画面（不図示）から例えば「編集」を選択すると、編集処理が呼び出される。図２〜図４は編集処理を示すフローチャートである。図２のステップ＃１１では上記と同様に、動画像の再生が行われる。
【００１８】
ステップ＃１２では図３に示す開始位置指定処理が呼び出される。図３のステップ＃２１では、ユーザが再生中の動画像を確認しながら操作部５によりＣＭカットの開始位置を指定するまで待機する。ＣＭカットの開始位置が指定されるとステップ＃２２に移行する。
【００１９】
この時、再生中の動画像を確認しながら操作するため、ユーザの指定した再生位置は誤差を含み、正確にＣＭの開始位置を指定されていない場合がある。このため、ステップ＃２２では、指定した再生位置の例えば前後５秒間に含まれるＩピクチャが表示される。通常Ｉピクチャは０．５秒間に１枚程度の割合で設けられるため、約２０枚のＩピクチャのサムネール画像が表示装置９に一覧表示される。１枚ずつのＩピクチャをユーザの操作によりコマ送りして表示してもよい。
【００２０】
ステップ＃２３ではＣＭが開始されたＩピクチャをユーザが選択するまで待機する。Ｉピクチャが選択されると、ステップ＃２４に移行する。ステップ＃２４では、選択されたＩピクチャと直前のＩピクチャとの間に含まれたＰピクチャ及びＢピクチャのデータが復号して表示される。隣接するＩピクチャ間には通常１４枚程度のＰピクチャ及びＢピクチャが含まれるため、例えば１６枚の各フレームのサムネール画像が表示装置９に一覧表示される。１枚ずつのフレームの画像をユーザの操作によりコマ送りして表示してもよい。
【００２１】
ステップ＃２５ではＣＭの開始位置のフレームが選択されるまで待機し、フレームが選択されるとステップ＃２６に移行する。ステップ＃２６では選択したフレームの直前のフレームがＢピクチャか否かが判断される。直前のフレームがＩピクチャまたはＰピクチャの場合はステップ＃２８に移行する。
【００２２】
直前のフレームがＢピクチャの場合は、選択したフレームを削除すると復号することができなくなる。このため、ステップ＃２７に移行し、選択したフレームの削除前に直前のフレームを復号してＩピクチャに変換する。
【００２３】
ステップ＃２８では選択したフレームの先頭からのフレーム数やタイムコードから成る再生位置が記憶部４に記憶される。これにより、ＣＭカットの開始位置を正確に指定し、図２のフローチャートに戻る。
【００２４】
図２のステップ＃１３では図４の終了位置指定処理が呼び出される。終了位置指定処理は開始位置指定処理と同様の動作が行われる。ステップ＃３１では、ユーザが再生中の動画像を確認しながら操作部５によりＣＭカットの終了位置を指定するまで待機する。ＣＭカットの終了位置が指定されるとステップ＃３２に移行する。
【００２５】
ステップ＃３２では、指定した再生位置の例えば前後５秒間に含まれるＩピクチャが表示装置９に一覧表示或いはコマ送り表示される。ステップ＃３３ではＣＭが終了して本編が開始されたＩピクチャをユーザが選択するまで待機する。Ｉピクチャが選択されると、ステップ＃３４に移行する。
【００２６】
ステップ＃３４では、選択されたＩピクチャと直前のＩピクチャとの間に含まれたＰピクチャ及びＢピクチャのデータが復号され、各フレームが表示装置９に一覧表示或いはコマ送り表示される。ＣＭが終了したＩピクチャを指定して、指定したＩピクチャとその直後のＩピクチャとの間のフレームを表示してもよい。
【００２７】
ステップ＃３５ではＣＭの終了位置のフレームが選択されるまで待機し、フレームが選択されるとステップ＃３６に移行する。ステップ＃３６では選択したフレームの直後のフレームがＩピクチャか否かが判断される。直後のフレームがＩピクチャの場合はステップ＃３８に移行する。
【００２８】
直後のフレームがＰピクチャまたはＢピクチャの場合は、選択したフレームを削除すると復号することができなくなる。このため、ステップ＃３７に移行し、選択したフレームの削除前に直後のフレームを復号してＩピクチャに変換する。
【００２９】
ステップ＃３８では選択したフレームの先頭からのフレーム数やタイムコードから成る再生位置が記憶部４に記憶される。これにより、ＣＭカットの終了位置を正確に指定し、図２のフローチャートに戻る。
【００３０】
図２において、ステップ＃１４で記憶部４に記憶されたＣＭの開始位置のフレームから終了位置のフレームまでが削除される。これによりＣＭカットが行われる。
【００３１】
本実施形態によると、動画像の再生中に選択された再生位置の前後所定期間に含まれるＩピクチャを表示し、各Ｉピクチャから選択されたＩピクチャとその直前または直後のＩピクチャとの間に含まれる各フレームを表示して削除開始位置と削除終了位置のフレームを選択する。
【００３２】
従って、ＣＭ等の開始位置や終了位置のフレームを容易に見つけることができるため編集作業の作業性を向上させることができる。また、前後のフレームの情報を必要とするＰピクチャやＢピクチャを隣接するＩピクチャ間だけ復号すればよい。このため、復号の時間を短縮することができ、編集作業の作業性を更に向上させることができる。
【００３３】
尚、動画像のデータ全体からＩピクチャのみを取り出して連続表示し、その中から選択したＩピクチャとその直前または直後のＩピクチャとの間に含まれる各フレームを表示して削除開始位置と削除終了位置のフレームを選択してもよい。この時、Ｉピクチャの連続表示に替えて、ユーザの指示によるコマ送り表示やスライドバーを操作してユーザが所望の位置のＩピクチャを表示させて選択してもよい。
【００３４】
また、連続表示されるＩピクチャから選択した位置の前後所定期間（例えば５ｓｅｃ）内のＩピクチャを表示した後、その中から選択されたＩピクチャとその直前または直後のＩピクチャとの間に含まれる各フレームを表示してもよい。
【００３５】
【発明の効果】
本発明によると、動画像の再生中に選択された再生位置の前後所定期間に含まれるＩピクチャや、動画像のデータから抽出されたＩピクチャを表示し、各Ｉピクチャから選択されたＩピクチャとその直前または直後のＩピクチャとの間に含まれる各フレームを表示して削除開始位置と削除終了位置のフレームを選択する。
【００３６】
従って、ＣＭ等の開始位置や終了位置のフレームを容易に見つけることができるため編集作業の作業性を向上させることができる。また、前後のフレームの情報を必要とするＰピクチャやＢピクチャを隣接するＩピクチャ間だけ復号すればよい。このため、復号の時間を短縮することができ、編集作業の作業性を更に向上させることができる。
【図面の簡単な説明】
【図１】は、本発明の実施形態の画像編集装置を示すブロック図である。
【図２】は、本発明の実施形態の画像編集装置の編集処理を示すフローチャートである。
【図３】は、本発明の実施形態の画像編集装置の開始位置指定処理を示すフローチャートである。
【図４】は、本発明の実施形態の画像編集装置の終了位置指定処理を示すフローチャートである。
【符号の説明】
１    画像編集装置
２    ＣＰＵ
３    ドライブ
４    記憶部
５    操作部
６    デコーダ
７    エンコーダ
８    チューナ
９    表示装置
１０    アンテナ
【図１】
2004159082.tif 000003
【図２】
2004159082.tif 000004
【図３】
2004159082.tif 000005
【図４】
2004159082.tif 000006